【手続補正書】
【提出日】平成22年11月9日(2010.11.9)
【手続補正１】
【補正対象書類名】特許請求の範囲
【補正対象項目名】全文
【補正方法】変更
【補正の内容】
【特許請求の範囲】
【請求項１】
可膨張式ベッドであって：
ベッド枠組みアセンブリ；
少なくとも一つの空気室を有するマットレスアセンブリ；及び
前記ベッド枠組みアセンブリと関連する電気式エアポンプユニット；を含み、
前記電気式エアポンプユニットは：
前記空気室を膨張させるために前記マットレスアセンブリにおける前記空気室と流体連通する遠心式ポンプ装置；
前記遠心式ポンプ装置と前記空気室との間の流体連通を可能にし、また、中断させるよう作動する第一コントロールバルブ；及び
前記空気室を膨張させるために前記空気室と流体連通するダイアフラムポンプ装置を含む、
ことによって特徴付けられる可膨張式ベッド。
【請求項２】
前記エアポンプユニットは、その中に前記遠心式ポンプ装置及び前記ダイアフラムポンプ装置を受け入れるためのハウジングを更に含む、
ことを特徴とする請求項１に記載の可膨張式ベッド。
【請求項３】
前記マットレスアセンブリは、相互に流体連通しない二つの前記空気室で形成され；かつ
前記エアポンプユニットは：
前記ハウジング内に形成され、かつ、前記遠心式ポンプ装置と流体連通する第一転送室と；前記ハウジング内に形成され、かつ、前記第一転送室及び前記空気室と流体連通する第二転送室と；前記第一転送室と前記第二転送室との間の流体連通を可能にし、また、中断させるよう作動する前記第一コントロールバルブと；前記第二転送室と前記空気室の個々のものとの間の流体連通を可能にし、また、中断させるよう作動する二つの第二コントロールバルブと、を更に含む、
ことを更に特徴とする請求項２に記載の可膨張式ベッド。
【請求項４】
前記エアポンプユニットは、圧力センサ及びセンサ接続管を更に含み、
前記圧力センサは、前記第二転送室内の空気圧を検出するために前記センサ接続管を介して前記第二転送室と流体連通する、
ことを更に特徴とする請求項３に記載の可膨張式ベッド。
【請求項５】
前記ダイアフラムポンプ装置は：
バルブ穴と共に形成されたバルブシート；
ダイアフラムバルブ；
前記ダイアフラムバルブに固定的に接続されたバルブロッド；
前記バルブシートにおける前記バルブ穴をクローズすべく前記ダイアフラムバルブをバイアスさせるためのコイル状圧縮スプリング；及び
前記バルブロッドを動かすための駆動ユニットを含む、
ことを特徴とする請求項１に記載の可膨張式ベッド。
【請求項６】
前記駆動ユニットは：
前記バルブシートに対して枢動自在であり、カム面及び扇形歯車部分を有するカム部材であり、前記バルブロッドの端が、前記カム部材の前記カム面と接触するよう前記圧縮スプリングによりバイアスされるところのカム部材；
その中心軸の周りを回転自在であり、前記扇形歯車部分をかみ合わせるネジ部分を有する駆動ロッド；
モータシャフトを有するモータ；及び
前記モータシャフトの回転を前記駆動ロッドに伝えるために前記モータシャフトと前記駆動ロッドとを相互接続するトランスミッションユニットを含む、
ことを更に特徴とする請求項５に記載の可膨張式ベッド。
【請求項７】
前記トランスミッションユニットは：
前記モータシャフト上に固定的に軸ざやが付けられた駆動プーリ；
前記駆動ロッド上に固定的に軸ざやが付けられたドリブンプーリ；及び
前記駆動プーリ及び前記ドリブンプーリに掛け渡されたトランスミッションベルトを含む、
ことを更に特徴とする請求項６に記載の可膨張式ベッド。
【請求項８】
ベッド枠組みアセンブリ；
前記ベッド枠組みアセンブリに接してその上に配置され、かつ、トップシートと、前記トップシートの下に配置されるボトムシートと、相互に流体連通しない複数の空気室を形成すべく前記トップシート及び前記ボトムシートを相互接続する複数の周囲シートとを含み、前記空気室のそれぞれが前記トップシートと、前記ボトムシートと、前記周囲シートの個々のものとの間に定められるところのマットレスアセンブリ；及び
少なくとも部分的に前記ベッド枠組みアセンブリ内に配置され、かつ、前記空気室と流体連通する電気式エアポンプユニットであり、当該電気式エアポンプユニットは、前記空気室の空気圧が異なるように前記空気室を個々に膨張させるよう作動するところの電気式エアポンプユニット、
によって特徴付けられる可膨張式ベッド。
【請求項９】
前記トップシート、前記ボトムシート、前記周囲シート、及び、補強ユニットをその中に受け入れる被覆ユニットであり、
前記被覆ユニットは、上部被覆部材、下部被覆部材、並びに、前記上部及び下部被覆部材を相互接続するジッパーユニットを含み、
前記ジッパーユニットは、前記上部及び下部被覆部材にそれぞれ取り付けられ、取り外し可能に相互接続される上半及び下半ジッパーを含むところの被覆ユニット、
によって特徴付けられる請求項８に記載の可膨張式ベッド。
【請求項１０】
前記ベッド枠組みアセンブリは、ベッド枠組み体と前記ベッド枠組み体を覆うためのカバーとを含み、前記被覆ユニットの前記下部被覆部材と前記ベッド枠組みアセンブリの前記カバー及び前記枠組み体とは、それぞれ、それらを貫通する位置合わせした穴と共に形成され、前記電気式エアポンプユニットは、前記下部被覆部材、前記ベッド枠組み体及び前記カバーの前記穴の中に受け入れられる、
ことを更に特徴とする請求項９に記載の可膨張式ベッド。
【請求項１１】
堅いサポートフレームと、前記サポートフレームに接してその上に配置されたトッププレートユニットとを含むベッド枠組みアセンブリであって：
前記サポートフレームは、折り畳まれた状態と折り畳まれていない状態と間で変換可能な第一折り畳み式フレーム部材を含み、前記第一折り畳み式フレーム部材は、複数の平行な非折り畳み式プレートと複数の折り畳み式プレートの対とを含み、前記非折り畳み式プレートの二つの隣接するものの何れもが、前記第一折り畳み式フレーム部材が前記折り畳まれていない状態にあるときに空きスペースを定めるべく、前記折り畳み式プレートの対応する一対を枢動自在に相互接続し、前記折り畳み式プレートのそれぞれは、対応する前記非折り畳み式プレートに枢動自在に個々に接続される外端と枢動自在に相互接続される内端とを有する二つの枢動自在のプレート部分を含み、前記枢動自在のプレート部分は、前記サポートフレームが前記折り畳まれていない状態にあるときに前記非折り畳み式プレートにほぼ垂直であり、かつ、前記サポートフレームが前記折り畳まれた状態にあるときに前記非折り畳み式プレートにほぼ平行であること、
によって特徴付けられるベッド枠組みアセンブリ。
【請求項１２】
前記トッププレートユニットは、前記第一折り畳み式フレーム部材における前記空きスペースを覆う、
ことを特徴とする請求項１１に記載のベッド枠組みアセンブリ。
【請求項１３】
少なくとも一つのピボットユニットと、前記ピボットユニットによって前記第一折り畳み式フレーム部材の端に枢動自在に接続される端を有する第二折り畳み式フレーム部材と、によって特徴付けられ、
前記第一及び第二折り畳み式フレーム部材は、それぞれ、位置合わせされた上面を有し、
前記ピボットユニットは、前記第一及び第二折り畳み式フレーム部材の一方が、前記第一及び第二折り畳み式フレーム部材の他方の前記上面に対して隣接するよう枢動自在となるように、前記上面に隣接して配置される、
請求項１１に記載のベッド枠組みアセンブリ。
【請求項１４】
ベッド枠組みアセンブリであって、堅いサポートフレームと、前記サポートフレームに接してその上に配置されるトッププレートユニットと、少なくとも部分的には当該ベッド枠組みアセンブリ内に配置される電気式エアポンプユニットと、を含むベッド枠組みアセンブリであって：
前記サポートフレームは、折り畳まれた状態と折り畳まれていない状態との間で変換可能であり、
前記堅いサポートフレームは、二つの平行な非折り畳み式プレートと、二つの折り畳み式プレートであり、前記サポートフレームが前記折り畳まれていない状態にあるときに空きスペースを定めるべく、当該折り畳み式プレートを枢動自在に相互接続する二つの折り畳み式プレートとを含み、
前記折り畳み式プレートのそれぞれは、前記非折り畳み式プレートに枢動自在に個々に接続される外端と枢動自在に相互接続する内端とを有する二つの枢動自在のプレート部分を含み、
前記枢動自在のプレート部分は、前記サポートフレームが前記折り畳まれていない状態にあるときに前記非折り畳み式プレートにほぼ垂直であり、かつ、前記サポートフレームが前記折り畳まれた状態にあるときに前記非折り畳み式プレートにほぼ平行である、
ことを特徴とするベッド枠組みアセンブリ。